(57)【特許請求の範囲】
【請求項１】
複数の計算機器から各機器識別符号と各計算データとを取得する計算データ取得手段と、
前記複数の機器識別符号の各々と各名前とが対応付けられて記憶されている機器名前記憶手段と、
前記計算データ取得手段により取得された各計算データを、前記機器名前記憶手段に記憶された前記各計算機器に対応する各名前及びグループ識別符号に対応付けて、サーバ装置へ送信する計算データ送信手段と、を備えたことを特徴とする通信機器。
【請求項２】
前記計算データ取得手段は、前記計算機器からの機器識別符号と計算データとを当該機器識別符号と計算データに対応して表示された２次元コードを撮影して取得する、ことを特徴とする請求項１に記載の通信機器。
【請求項３】
前記計算データ取得手段により取得された前記機器識別符号が、前記機器名前記憶手段に記憶されている場合には、当該機器識別符号に対応付けられて前記機器名前記憶手段に記憶されている前記名前を表示する機器名前表示手段と、
前記計算データ取得手段により取得された前記機器識別符号が、前記機器名前記憶手段により登録されていない場合に、当該計算データ取得手段により取得された機器識別符号に対応付けて、ユーザ操作に応じて入力された名前を登録する機器名前登録手段と、を更に備えることを特徴とする請求項１又は請求項２に記載の通信機器。
【請求項４】
前記サーバ装置から同じグループ識別符号に対応付けられた各計算データを統合した統合データを受信する統合データ受信手段を更に備えたことを特徴とする請求項１ないし請求項３の何れか１項に記載の通信機器。
【請求項５】
グループ名及び前記グループ識別符号を記憶しているグループ識別符号記憶手段に記憶された前記グループ名を表示するグループ名表示手段、を更に備え、
前記計算データ送信手段は、前記グループ名表示手段により表示された前記グループ識別符号をユーザ操作に応じて選択するグループ識別符号選択手段を有し、当該グループ識別符号選択手段により前記グループ識別符号が選択された場合に、前記計算データ取得手段により取得された計算データを前記選択された前記グループ識別符号に対応付けて前記サーバ装置へ統合対象データとして送信し、
前記グループ識別符号選択手段により前記グループ識別符号が選択されない場合には、前記計算データ取得手段により取得された計算データを前記グループ名又は前記グループ識別符号に対応付けずに前記サーバ装置へ送信する非統合対象計算データ送信手段をさらに備えた、ことを特徴とする請求項４に記載の通信機器。
【請求項６】
前記統合データ受信手段は、前記計算データ送信手段により、前記計算データ取得手段により取得された機器識別符号に対応する名前と計算データとを前記選択されたグループ識別符号に対応付けて前記サーバ装置へ統合対象データとして送信した場合に、当該サーバ装置から同じグループ識別符号に対応付けられた各名前と各計算データとを統合した画像統合データを受信し、
前記非統合対象計算データ送信手段により、前記計算データ取得手段により取得された計算データを前記グループ識別符号に対応付けずに前記サーバ装置へ送信した場合には、当該サーバ装置から当該計算データに対応した画像データを受信する非統合データ受信手段をさらに備えた、ことを特徴とする請求項５に記載の通信機器。
【請求項７】
外部端末から前記グループ識別符号を受信するグループ識別符号受信手段と、
前記グループ識別符号受信手段により受信された前記グループ識別符号を、前記グループ名に対応付けて、前記グループ識別符号記憶手段に登録するグループ識別符号登録手段と、を備えたことを特徴とする請求項５又は請求項６に記載の通信機器。
【請求項８】
請求項１ないし請求項７の何れか１項に記載の通信機器と通信するサーバ装置であって、
前記通信機器から、前記グループ識別符号に対応付けて送信された各計算データを受信し、同じグループ識別符号に対応付けられた各計算データとを統合した統合データを生成する統合データ生成手段、を備えたことを特徴とするサーバ装置。
【請求項９】
前記通信機器から前記グループ識別符号に対応付けられた計算データが受信された場合に、同じグループ識別符号に対応付けられて受信された各計算データを統合した画像統合データを生成し、前記通信機器へ送信する統合データ送信手段と、
前記通信機器から前記グループ識別符号に対応付けられていない計算データが受信された場合に、当該計算データに対応した画像データを生成し、前記通信機器へ送信する非統合データ送信手段と、を備えたことを特徴とする請求項８に記載のサーバ装置。
【請求項１０】
前記統合データ送信手段は、前記通信機器から前記グループ識別符号に対応付けられた前記計算データが受信された場合に、同じ前記グループ識別符号に対応付けられて受信された各計算データを統合した画像統合データを生成し、前記通信機器へ送信する、ことを特徴とする請求項９に記載のサーバ装置。
【請求項１１】
通信機器のコンピュータを制御するためのプログラムであって、
前記コンピュータを、
複数の計算機器から各機器識別符号と各計算データとを取得する計算データ取得手段と、
前記計算データ取得手段により取得された各計算データを、前記複数の機器識別符号の各々と各名前とが対応付けられて記憶されている機器名前記憶手段に記憶された前記各計算機器に対応する各名前及びグループ識別符号に対応付けて、サーバ装置へ送信する計算データ送信手段と、として機能させるためのコンピュータ読み込み可能なプログラム。
【請求項１２】
通信機器のコンピュータを制御するための方法であって、
複数の計算機器から各機器識別符号と各計算データとを取得し、
取得された前記各計算データを、前記複数の機器識別符号の各々と各名前とが対応付けられて記憶されている機器名前記憶手段に記憶された前記各計算機器に対応する各名前及びグループ識別符号に対応付けて、サーバ装置へ送信する、ことを含む、通信機器の制御方法。
【請求項１３】
通信機器とサーバ装置とを備えるデータ処理システムのコンピュータを制御するための方法であって、
前記通信機器は、
複数の計算機器から各機器識別符号と各計算データとを取得し、
取得された前記各計算データを、前記複数の機器識別符号の各々と各名前とが対応付けられて記憶されている機器名前記憶手段に記憶された前記各計算機器に対応する各名前及びグループ識別符号に対応付けて、サーバ装置へ送信し、
前記サーバ装置は、
前記通信機器からグループ識別符号に対応付けられた計算データが受信された場合に、受信された前記グループ識別符号と同じグループ識別符号に対応付けられて受信された各計算データを統合した画像統合データを生成し、前記通信機器へ送信し、
前記通信機器から前記グループ識別符号に対応付けられていない計算データが受信された場合に、当該計算データに対応した画像データを生成し、前記通信機器へ送信する、
ことを含む、データ処理システムの制御方法。
【発明の詳細な説明】
【技術分野】
【０００１】
本発明は、各計算データを統合することができる通信機器、サーバ装置、通信機器の制御方法、プログラム、および、データ処理システムの制御方法に関する。
【背景技術】
【０００２】
従来より、関数電卓と称する様々な関数式の計算過程を学習させる情報表示装置が広く利用されている。
【０００３】
このような情報表示装置の利用形態として、特許文献１は、関数式のグラフを表示させて解析する学校の授業などにおいて、生徒各個人が情報表示装置を使用すると共に、先生の使用する情報表示装置において、赤外線通信等により転送される生徒各個人の情報表示装置からのグラフデータ等の計算データを受信して統合し、その統合した結果の統合計算データを拡大投影表示することを提案している。
【０００４】
また、近年、スマートフォン等の通信機器からアクセスして、インターネット上で高機能な計算サービスを受けられるようにする計算サーバが提供されている。
【先行技術文献】
【特許文献】
【０００５】
【特許文献１】特許第４７２０６０７号公報
【発明の概要】
【発明が解決しようとする課題】
【０００６】
前記特許文献１では、複数の情報表示装置からのグラフ式データを受信して、
それら複数のグラフ式データのグラフ画像を同じ座標系に統合して表示出力することは記載されるものの、予めそれぞれの情報表示装置が対応付けされて通信接続されている必要があった。
【０００７】
また、複数の情報表示装置からのグラフ式を異なる色で識別表示することは記載されるものの、複数の情報表示装置それぞれのユーザ名を表示することはできなかった。
【０００８】
本発明は、このような課題に鑑みなされたもので、各情報表示装置に対応づけられた各名前と各計算データとを統合させることができる通信機器、サーバ装置、通信機器の制御方法、およびその制御プログラムを提供することを目的とする。
【課題を解決するための手段】
【０００９】
本発明に係る通信機器は、複数の計算機器から各機器識別符号と各計算データとを取得する計算データ取得手段と、前記複数の機器識別符号の各々と各名前とが対応付けられて記憶されている機器名前記憶手段と、前記計算データ取得手段により取得された各計算データを、前記機器名前記憶手段に記憶された前記各計算機器に対応する各名前及びグループ識別符号に対応付けてサーバ装置へ送信する計算データ送信手段と、を備えたことを特徴としている。
【００１０】
本発明に係るサーバ装置は、前記通信機器と通信するサーバ装置であって、前記通信機器から、前記グループ識別符号に対応付けて送信された各機器識別符号に対応する各名前と各計算データとを受信し、同じグループ識別符号に対応付けられた各名前と各計算データとを統合した統合データを生成する統合データ生成手段、を備えたことを特徴としている。
本発明に係るデータ処理システムの制御方法は、通信機器とサーバ装置とを備えるデータ処理システムのコンピュータを制御するための方法であって、前記通信機器は、複数の計算機器から各機器識別符号と計算データとを取得し、取得された前記各計算データを、前記複数の機器識別符号の各々と各名前とが対応付けられて記憶されている機器名前記憶手段に記憶された前記各計算機器に対応する各名前及びグループ識別符号に対応付けて、サーバ装置へ送信し、前記サーバ装置は、前記通信機器からグループ識別符号に対応付けられた計算データが受信された場合に、受信された前記グループ識別符号と同じグループ識別符号に対応付けられて受信された各計算データを統合した画像統合データを生成し、前記通信機器へ送信し、前記通信機器から前記グループ識別符号に対応付けられていない計算データが受信された場合に、当該計算データに対応した画像データを生成し、前記通信機器へ送信する、ことを含む。
【発明の効果】
【００１１】
本発明によれば、各情報表示装置に対応づけられた各名前と各計算データとを統合させることが可能になる。
【図面の簡単な説明】
【００１２】
【図１】本発明の実施形態に係る計算機システムの構成を示す模式図。
【図２】関数電卓１０の電子回路の構成を示すブロック図。
【図３】カメラ付き通信機器２０の電子回路の構成を示すブロック図。
【図４】計算サーバ３０の電子回路の構成を示すブロック図である。
【図５】前記計算機システムの全体的な動作概要を説明する図。
【図６】前記関数電卓１０の計算処理を示すフローチャート。
【図７】前記カメラ付き通信機器２０の計算データ送受信処理（その１）を示すフローチャート。
【図８】前記カメラ付き通信機器２０の計算データ送受信処理（その２）を示すフローチャート。
【図９】前記計算サーバ３０のサーバ処理（その１）を示すフローチャート。
【図１０】前記計算サーバ３０のサーバ処理（その２）を示すフローチャート。
【図１１】前記計算機システムの表示動作（その１）を示す図。
【図１２】前記計算機システムの表示動作（その２）を示す図。
【図１３】前記計算機システムの表示動作（その３）を示す図。
【図１４】前記計算機システムの表示動作（その４）を示す図。
【図１５】前記計算機システムの表示動作（その５）を示す図。
【図１６】前記計算機システムの表示動作（その６）を示す図。
【発明を実施するための形態】
【００１３】
以下図面により本発明の実施の形態について説明する。
【００１４】
図１は、本発明の実施形態に係る計算機システムの構成を示す模式図である。
【００１５】
ここでは、図１に示すように、各生徒が使用する情報表示装置としての関数電卓１０と、各生徒の関数電卓１０から表示出力されたＱＲコード（登録商標）等の２次元コードの画像Ｑを撮影する先生が使用するカメラ付きタブレットＰＣ等のカメラ付き通信機器２０と、該カメラ付き通信機器２０からインターネット等の通信ネットワークＮを介して送信されてくる前記２次元コードの内容に応じた計算データを受信し、当該計算データを、先生のパソコンＰＣ（あるいは前記通信機器２０）からの事前のアクセスによって作成した課題（計算の内容）によって異なる部屋（グループ）毎に統合した統合計算データとして生成する計算サーバ（サーバ装置）３０と、該計算サーバ３０での前記部屋（グループ）毎の統合計算データを通信ネットワークＮを介して受信して表示出力する前記パソコンＰＣ（あるいは前記通信機器２０）と、該パソコンＰＣ（通信機器２０）に表示出力される統合計算データを拡大投影表示するプロジェクタＰと、からなるシステムを例に説明する。
【００１６】
なお、前記通信機器２０から前記計算サーバ３０へ送信する各関数電卓１０からの計算データには、当該計算の種類によって異なる前記事前に作成した部屋（グループ）の部屋ＩＤ（グループＩＤ）と、当該各関数電卓１０のユーザ（生徒）のニックネームとを対応付けて送信する。
【００１７】
本実施形態では、次の具体例について説明する。３人の生徒Ａ，Ｂ，Ｃが、生徒Ａは日本、生徒Ｂはアメリカ、生徒Ｃはドイツの子供の身長Ｘ・体重Ｙのサンプルデータを集めて自分の関数電卓（情報表示装置）１０に集計し、集計したサンプルデータを統計計算機能により学習する際に、当該統計計算の計算データを各電卓１０の固有ＩＤを含む二次元コード（ＱＲコード）の画像Ｑとして表示出力させる。この際、先生のパソコンＰＣ（あるいはカメラ付き通信機器２０）により前記計算サーバ（サーバ装置）３０のＨＰ（ホームページ）アドレスに事前にアクセスし、当該統計計算の種類に応じた部屋（グループ）「身長・体重の比較」を作成しその部屋ＩＤ（グループＩＤ）“RK8n-1RvB-95Ez-ee2R”を取得する。そして、前記各生徒Ａ，Ｂ，Ｃの関数電卓１０に表示された二次元コード（ＱＲコード）の画像Ｑを先生のカメラ付き通信機器２０により順次撮影し当該各生徒のニックネーム「イチロー」「ヨーコ」「アキラ」を入力することで、各二次元コード（ＱＲコード）の内容のデータを前記部屋ＩＤ（グループＩＤ）および各対応するニックネームと共に前記計算サーバ３０へ送信する。すると、前記計算サーバ３０により受信された前記各生徒Ａ，Ｂ，Ｃの計算データを前記部屋ＩＤ（グループＩＤ）に対応した部屋（グループ）「身長・体重の比較」のメモリエリアに登録して統合し、この統合した統合計算データを当該「身長・体重の比較」の部屋表示画面ＧＲとして外部機器（例えば前記先生のパソコンＰＣやデータ送信元のカメラ付き通信機器２０）に出力して表示させる。
【００１８】
なお、前記カメラ付き通信機器２０は、カメラ付きタブレットＰＣに限定されるものではなく、カメラ付きＰＤＡ（personal digital assistants）、カメラ付きスマートフォン、カメラ付き又はカメラが接続されたノートＰＣ（personal computer）、電子黒板等として構成され得る。
【００１９】
また、前記図１では、カメラ付き通信機器２０を２つ示しているが、実際は主担任と副担任の先生の一人に１つずつのカメラ付き通信機器２０を用意する。また、関数電卓１０は、代表して１つを示しているに過ぎず、実際には、生徒数に応じた個数が含まれる。また、関数電卓１０は、先生用の１台もさらに含まれても良い。
【００２０】
前記関数電卓１０は、その携帯性の必要からユーザが片手で十分把持し片手で操作可能な小型サイズからなり、この関数電卓１０の本体正面にはキー入力部１１および表示出力部１２が設けられる。
【００２１】
前記キー入力部１１には、数値や数式を入力したり計算の実行を指示したりするための数値・演算記号キー群１１１、各種の関数を入力したりメモリ機能を立ち上げたりするための関数機能キー群１１２、各種動作モードのメニュー画面を表示させたり動作モードの設定を指示したりするためのモード設定キー群１１３、前記表示出力部１２に表示されたカーソルの移動操作やデータ項目の選択操作などを行うためのカーソルキー１１４が備えられる。
【００２２】
前記表示出力部１２は、ドットマトリクス型の液晶表示ユニットからなる。
【００２３】
図２は、前記関数電卓１０の電子回路の構成を示すブロック図である。
【００２４】
ここでは、複数の生徒Ａ，Ｂ，Ｃ，…が個々に持つ関数電卓１０Ａ，１０Ｂ，１０Ｃ，…のうちの１台を関数電卓１０として説明する。
【００２５】
この関数電卓１０の電子回路は、前記キー入力部１１および表示出力部１２に加えて、コンピュータであるＣＰＵ１３と、メモリ１４と、記録媒体読取部１５とを備えている。また、同図に破線で示すように、無線通信部１６を備えていても良い。
【００２６】
前記ＣＰＵ１３は、メモリ１４に記憶されている数式計算処理プログラム１４１に従い回路各部の動作を制御し、キー入力部１１からのキー入力信号に応じた各種の演算処理を実行する。この数式計算処理プログラム１４１は、メモリ１４に予め記憶されていても良いし、あるいはメモリカード等の外部記録媒体Ｍから記録媒体読取部１５を介してメモリ１４に読み込まれて記憶されたものであっても良い。この数式計算処理プログラム１４１は、ユーザがキー入力部１１の操作によって書き換えできないようになっている。
【００２７】
前記メモリ１４には、さらに、ユーザ書き換え不可能な情報として、電卓固有ＩＤ１４２も記憶される。この電卓固有ＩＤ１４２は、各関数電卓１０Ａ，１０Ｂ，１０Ｃ，…の各々に独特なＩＤである。
【００２８】
前記メモリ１４には、このようなユーザ書き換え不可能な情報の他に、ユーザが書き換え可能なデータを記憶するために、入力データエリア１４３が確保されている。
【００２９】
前記キー入力部１１の［ＭＯＤＥ］キー操作に従って設定された、統計機能とその計算種類（１変数統計／２変数統計；１次回帰／対数回帰／ｅ指数回帰／ａｂ指数回帰／べき乗回帰／逆数回帰／２次回帰）等の機能種別や、統計計算の対象となるデータ、例えば表データも記憶される。表データは、１変数の場合はＸに対応する各数値データ、２変数の場合はＸ，Ｙのそれぞれに対応する各数値データを含む。
【００３０】
ここで、前記表データ等の計算の対象となるデータを計算対象データ、当該計算対象データを前記統計機能の計算種類に応じて計算した結果のデータを計算結果データ、さらに前記統計機能等の計算機能の種別とその計算種類、前記計算対象データ、前記計算結果データを総じて計算データと称呼する。
【００３１】
なお、無線通信部１６は、Ｂｌｕｅｔｏｏｔｈ（登録商標）や赤外線通信等の、外部のカメラ付き通信機器２０等と無線通信する機能を備えている。
【００３２】
このように構成された関数電卓１０は、前記ＣＰＵ１３が前記数式計算処理プログラム１４１に記述された命令に従い回路各部の動作を制御し、ソフトウエアとハードウエアとが協働して動作することにより、後述の動作説明で述べるような、当該関数電卓１０の固有ＩＤと、キー入力部１１から入力された機能種別（例えば、統計計算機能とその計算種類）、機能別計算データ（例えば、統計計算の計算対象データ）又は計算結果データ（例えば、統計計算の計算結果データ）、設定情報、その他のデータを、２次元コード化、本実施形態ではＱＲコード化し、表示出力部１２により表示出力する、表示制御機能を実現する。
【００３３】
前記カメラ付き通信機器２０（２０Ａ，２０Ｂ）は、この関数電卓１０Ａ，１０Ｂ，１０Ｃ，…の表示出力部１２に表示出力された２次元コード（ＱＲコード）の画像ＱＡ，ＱＢ，ＱＣ，…を撮影し、その撮影した２次元コード（ＱＲコード）ＱＡ，ＱＢ，ＱＣ，…の内容のデータ（電卓固有ＩＤと計算データ）に、該当する生徒のニックネームと事前に取得した前記部屋ＩＤ（グループＩＤ）とを付加し、通信ネットワークＮを介して予めＨＰアドレスが設定された計算サーバ２０に送信する。
【００３４】
なお、前記２次元コード（ＱＲコード）ＱＡ，ＱＢ，ＱＣ，…の内容のデータ（電卓固有ＩＤと計算データ）は、当該データそれ自体を前記無線通信部１６によって前記カメラ付き通信機器２０Ａ，２０Ｂに送信する構成としてもよい。
【００３５】
図３は、前記カメラ付き通信機器２０の電子回路の構成を示すブロック図である。
【００３６】
ここでは、複数の先生（例えば、主担任と副担任）が個々に持つカメラ付き通信機器２０Ａ，２０Ｂのうちの１台をカメラ付き通信機器２０として説明する。
【００３７】
このカメラ付き通信機器２０の電子回路は、前記表示出力部２１に加えて、コンピュータであるＣＰＵ２２と、メモリ２３と、記録媒体読取部２４と、前記表示出力部２１に重ねて一体化したタッチ入力部２５と、カメラ部２６、通信部２７を備えている。なお、前記タッチ入力部２５は電源キー等のキー入力部を含んでも良い。また、同図に破線で示すように、無線通信部２８を備えていても良い。
【００３８】
前記ＣＰＵ２２は、メモリ２３に記憶されている通信機器制御プログラム（ブラウザアプリケーション／メールアプリケーション含む）２２１、計算データ送受信処理プログラム（専用ＱＲアプリケーション）２２２に従い、前記タッチ入力部２５からのタッチ（又はキー）入力信号や前記通信部２７（２８）による受信信号に応じて回路各部の動作を制御する。前記各プログラム２２１，２２２は、メモリ２３に予め記憶されていても良いし、あるいはメモリカード等の外部記録媒体Ｍから記録媒体読取部２４を介してメモリ２３に読み込まれて記憶されたものでも良いし、あるいは通信ネットワークＮ上のＷｅｂサーバからメモリ２３にダウンロードされて記憶されたものでも良い。
【００３９】
また、前記メモリ２３には、ニックネーム記憶エリア２２３、部屋ＩＤ記憶エリア２２４が確保される。
【００４０】
前記ニックネーム記憶エリア２２３には、前記各生徒Ａ，Ｂ，Ｃ，…の関数電卓１０Ａ，１０Ｂ，１０Ｃ，…に表示出力された２次元コード（ＱＲコード）の画像ＱＡ，ＱＢ，ＱＣ，…を前記計算データ送受信処理プログラム（専用ＱＲアプリケーション）２２２に従いカメラ部２６により撮影した際に、当該２次元コード（ＱＲコード）ＱＡ，ＱＢ，ＱＣ，…の内容のデータ（計算データと電卓固有ＩＤ：ｘｘｘｘ１／ｘｘｘｘ２／…）に、前記タッチ入力部２５にてタッチ（又はキー）入力された該当する生徒Ａ，Ｂ，Ｃ，…のニックネーム「イチロー」「ヨーコ」…が対応付けられて記憶される。
【００４１】
前記部屋ＩＤ記憶エリア２２４には、先生のパソコンＰＣ（又は当該カメラ付き通信機器２０）から前記計算サーバ３０へのアクセスに従い事前に作成されて取得された計算の種類に応じた部屋（グループ）の部屋ＩＤ（グルーブＩＤ）とその部屋名が記憶される。
【００４２】
なお、無線通信部２８は、Ｂｌｕｅｔｏｏｔｈ（登録商標）や赤外線通信等の、外部の情報表示装置（関数電卓）１０等と無線通信する機能を備えており、前記各生徒Ａ，Ｂ，Ｃ，…の関数電卓１０Ａ，１０Ｂ，１０Ｃ，…に表示させた前記２次元コード（ＱＲコード）ＱＡ，ＱＢ，ＱＣ，…の内容のデータ（計算データと電卓固有ＩＤ）は、当該データそれ自体を前記関数電卓１０Ａ，１０Ｂ，１０Ｃ，…から無線送信し前記無線通信部２８により受信して取得する構成としてもよい。
【００４３】
このように構成されたカメラ付き通信機器２０は、前記ＣＰＵ２２が前記通信機器制御プログラム２２１や計算データ送受信処理プログラム（専用ＱＲアプリケーション）２２２に記述された命令に従い回路各部の動作を制御し、ソフトウエアとハードウエアとが協働して動作することにより、後述の動作説明で述べるような、前記関数電卓１０に表示された２次元コード（本実施形態ではＱＲコード）を読み取り、この２次元コード（ＱＲコード）の内容のデータに前記ニックネームと前記部屋ＩＤ（グループＩＤ）とを付加して前記計算サーバ３０に送信する、ＱＲ撮影送信機能を実現する。
【００４４】
図４は、前記計算サーバ３０の電子回路の構成を示すブロック図である。
【００４５】
この計算サーバ３０の電子回路は、コンピュータであるＣＰＵ３１と、メモリ３２と、記録媒体３３と、記録媒体読取部３４と、通信部３５とを備えている。また、同図に破線で示すように、キー入力部３６或いは表示出力部３７を備えていても良い。
【００４６】
前記ＣＰＵ３１は、メモリ３２に予め記憶されている、あるいはメモリカード等の記録媒体３３から記録媒体読取部３４を介してメモリ３２に読み込まれた、あるいは通信ネットワークＮ上のＷｅｂサーバから通信部３５を介してメモリ３２にダウンロードされた、サーバ制御プログラム３２１に従い回路各部の動作を制御し、通信部３５で受信した前記カメラ付き通信機器２０Ａ，２０Ｂからの部屋ＩＤ（グループＩＤ）とニックネームを付加した２次元コード（ＱＲコード）の内容データに応じた各種の演算処理を実行する。
【００４７】
前記メモリ３２には、前記サーバ制御プログラム３２１が記憶される他に、通信部３５を介して各カメラ付き通信機器２０Ａ，２０Ｂから受信した２次元コードの内容データ（ＱＲデータ）を部屋ＩＤ（グループＩＤ）別に登録する登録データメモリ３２２が確保される。ここで、前記登録データメモリ３２２には、部屋ＩＤ（グループＩＤ）毎の専用のデータエリア３２２Ａ，３２２Ｂ，…が作成され、そこに、個々の生徒Ａ，Ｂ，…毎の関数電卓１０Ａ，１０Ｂ，…から先生のカメラ付き通信機器２０Ａ，２０Ｂにより読み取って受信した２次元コードの内容データ（ＱＲデータ）を部屋別（グループ別）データとして生徒のニックネーム付きで登録できるようになっている。
【００４８】
本実施形態では、先生のパソコンＰＣ（あるいはカメラ付き通信機器２０）からのアクセスに従い、計算の種類に応じて異なる部屋（グループ）の部屋ＩＤ（グループＩＤ）を予め対応付けた登録データメモリ３２２が確保される。そして、前記先生のカメラ付き通信機器２０Ａ，２０Ｂから受信された各生徒Ａ，Ｂ，…毎の２次元コード内容データ（ＱＲデータ）は、当該２次元コード内容データ（ＱＲデータ）と共に受信された部屋ＩＤ（グループＩＤ）に従って該当する部屋ＩＤ（グループＩＤ）のデータエリア３２２Ａ…に前記各生徒Ａ，Ｂ，…のニックネーム付きで登録される。
【００４９】
なお、前記サーバ制御プログラム３２１は、当該計算サーバ３０のオペレータによるキー入力部３６の設定操作やメンテナンス操作等に応じた設定動作やメンテナンス動作を行う機能、その動作の途中経過や結果を表示出力部３７に表示する機能、等を備えている。
【００５０】
このように構成された計算サーバ３０は、前記ＣＰＵ３１が前記サーバ制御プログラム３２１に記述された命令に従い回路各部の動作を制御し、ソフトウエアとハードウエアとが協働して動作することにより、以下の動作説明で述べるような、生徒毎の受信２次元コード内容データ（ＱＲデータ）に基づく計算データを当該計算の種類に応じて異なる部屋（グループ）毎に統合し、その部屋（グループ）毎に統合した統合計算データを、前記先生のパソコンＰＣや前記２次元コード内容データ（ＱＲデータ）の送信元である先生のカメラ付き通信機器２０Ａ，２０Ｂに送信する、サーバ処理機能を実現する。
【００５１】
前記先生のパソコンＰＣやカメラ付き通信機器２０Ａ，２０Ｂは、通信ネットワークＮを介して前記計算サーバ３０から受信した統合計算データを、その表示出力部２１に表示したり、当該パソコンＰＣや通信機器２０Ａ，２０ＢにプロジェクタＰを接続して、拡大投影表示したりすることができる。
【００５２】
図５は、前記計算機システムの全体的な動作概要を説明する図である。
【００５３】
１−１．  先生のパソコンＰＣから計算サーバ３０のＨＰアドレスにアクセスし、これから生徒に学習させる計算の種類に応じた部屋（グループ）の作成依頼を送信する。
【００５４】
１−２．  計算サーバ３０は、前記先生のパソコンＰＣからの部屋（グループ）の作成依頼に応じて固有の部屋ＩＤ（グループＩＤ）を生成し、当該依頼元のパソコンＰＣに通知すると共に、生成した部屋ＩＤ（グループＩＤ）に対応したメモリエリアを登録データメモリ３２２に確保する。
【００５５】
１−３．  先生のパソコンＰＣにより前記計算サーバ３０から通知されてくる部屋ＩＤ（グループＩＤ）を受信して保存する。
【００５６】
２−１．  先生のパソコンＰＣにより前記保存された部屋ＩＤ（グループＩＤ）を２次元コード（ＱＲコード）化した画像ＱＲを表示する。
【００５７】
２−２．  先生のパソコンＰＣに表示された部屋ＩＤ（グループＩＤ）の２次元コード（ＱＲコード）の画像ＱＲを、先生のカメラ付き通信機器（タブレットＰＣ）２０Ａにより読み取る。
【００５８】
２−３．  先生のカメラ付き通信機器（タブレットＰＣ）２０Ａで前記読み取った２次元コード（ＱＲコード）の画像ＱＲに対応した部屋ＩＤ（グループＩＤ）を登録する。
【００５９】
３−１．  各生徒Ａ，Ｂ，Ｃ，…の情報表示装置（関数電卓）１０Ａ，１０Ｂ，１０Ｃ，…により、当該生徒が学習する計算の種類（例えば、国別の子供の身長・体重の比較）に応じた統計計算の計算データであって、各生徒それぞれの計算データ（例えば、生徒Ａ：日本の子供の身長・体重のサンプルデータ、生徒Ｂ：アメリカの子供の身長・体重のサンプルデータ、生徒Ｃ：ドイツの子供の身長・体重のサンプルデータ）を入力し（計算実行し）、当該計算データと電卓固有ＩＤを２次元コード（ＱＲコード）化した画像ＱＡ，ＱＢ，ＱＣ，…を表示する。
【００６０】
３−２．  先生のカメラ付き通信機器２０Ａにより前記各生徒Ａ，Ｂ，Ｃ，…の関数電卓１０Ａ，１０Ｂ，１０Ｃ，…に表示された計算データと電卓固有ＩＤの２次元コード（ＱＲコード）の画像ＱＡ，ＱＢ，ＱＣ，…を読み取る。
【００６１】
３−３．  先生のカメラ付き通信機器２０Ａにおいて、前記各生徒Ａ，Ｂ，Ｃ，…の各関数電卓１０Ａ，１０Ｂ，１０Ｃ，…に表示された２次元コード（ＱＲコード）の画像ＱＡ，ＱＢ，ＱＣ，…を読み取る毎に、当該生徒のニックネームを入力する。
【００６２】
３−４．  先生のカメラ付き通信機器２０Ａにおいて、前記入力されたニックネームを前記２次元コード（ＱＲコード）の画像ＱＡ，ＱＢ，ＱＣ，…の内容のデータ（電卓固有ＩＤと計算データ）に対応付けて生徒毎に登録する。
【００６３】
３−５．  先生のカメラ付き通信機器２０Ａにおいて、前記３−４．で生徒毎に登録されたニックネームと電卓固有ＩＤと計算データを、前記２−３．で登録された部屋ＩＤ（グループＩＤ）と共に前記計算サーバ３０へ送信する。
【００６４】
３−６．  計算サーバ３０において、前記先生のカメラ付き通信機器２０Ａから受信された生徒毎のニックネームと電卓固有ＩＤと計算データを、同受信された部屋ＩＤ（グループＩＤ）に対応した登録データメモリ３２２のメモリエリアに登録して統合する。
【００６５】
４．  先生のパソコンＰＣやカメラ付き通信機器２０Ａにおいて、前記計算サーバ３０にアクセスし、前記登録されている部屋ＩＤ（グループＩＤ）を指定することで、当該計算サーバ３０の指定の部屋（グループ）のメモリエリアに登録されている統合された計算データを開き、生徒毎にニックネームを付加して統合されている各計算データの統合画像を表示する。
【００６６】
これにより、各生徒Ａ，Ｂ，Ｃ，…の関数電卓１０Ａ，１０Ｂ，１０Ｃ，…により入力した統計計算の計算データを、当該計算データの種類（例えば、身長・体重の比較）に応じてグループ化して統合した統合データとして管理し、これを先生、生徒の全員で閲覧して学習できるようになる。
【００６７】
次に、図６〜図１３を用いて前記構成の計算機システムの具体的な動作について説明する。
【００６８】
先ず、先生のパソコンＰＣ（又はカメラ付き通信機器２０）において、計算サーバ３０のＨＰアドレス（計算サイト）にアクセスし、部屋ＩＤ（グループＩＤ）の作成依頼を送信する。
【００６９】
計算サーバ３０において、前記先生のパソコンＰＣ（通信機器）からの部屋ＩＤ（グループＩＤ）の作成依頼が受信されると（ステップＳ３０１（Ｙｅｓ））、図１１（Ａ）に示すように、ユーザ（先生と生徒）がグループを組んで学習を行なう課題に応じた部屋（グループ）（例えば統計計算の種類に応じた課題の部屋（グループ））を作成するための部屋作成画面ＧＭが前記先生のパソコンＰＣに送信される（ステップＳ３０２）。
【００７０】
前記部屋作成画面ＧＭには、「部屋名」のユーザ入力エリアｒｎと「部屋の説明」のユーザ入力エリアｒｅが設けられる。
【００７１】
前記先生のパソコンＰＣにおいて、前記計算サーバ３０から送信された部屋作成画面ＧＭが受信されて表示されると、先生は、当該部屋作成画面ＧＭの「部屋名」のユーザ入力エリアｒｎに「身長・体重の比較」と入力し、また、「部屋の説明」のユーザ入力エリアｒｅに「日本、アメリカ、ドイツの子供…統計計算を学ぶ。」と入力し、［送信］ボタンを操作する。
【００７２】
前記計算サーバ３０において、前記先生のパソコンＰＣにより入力されて送信された「部屋名（身長・体重の比較）」と「部屋の説明（日本、アメリカ、ドイツの子供…統計計算を学ぶ。）」が受信されると（ステップＳ３０３）、当該部屋の部屋ＩＤ（グループＩＤ）が、例えば英大文字小文字・数字を組み合わせた１６桁の乱数（例えば、“RK8n-1RvB-95Ez-ee2R”）として生成される。この際、今回生成された部屋ＩＤ（グループＩＤ）が既に登録されている部屋ＩＤ（グループＩＤ）と一致した場合には、当該今回の部屋ＩＤ（グループＩＤ）が再生成される（ステップＳ３０４）。
【００７３】
すると、前記生成された部屋ＩＤ（グループＩＤ）が今回の部屋の作成の依頼元である前記先生のパソコンＰＣ（通信機器）に送信されて通知される（ステップＳ３０５）。
【００７４】
そして、前記計算サーバ３０の登録データメモリ３２２に対して、前記生成された部屋ＩＤ（グループＩＤ）専用のデータエリア３２２Ａが作成され、当該データエリア３２２Ａに、前記部屋ＩＤ（グループＩＤ）“RK8n-1RvB-95Ez-ee2R”と前記ユーザ入力された部屋名「身長・体重の比較」と部屋の説明「日本、アメリカ、ドイツの子供…統計計算を学ぶ。」が対応付けられて登録される（ステップＳ３０６）。
【００７５】
すると、前記計算サーバ３０において、図１１（Ｂ）に示すように、前記生成された部屋ＩＤ（グループＩＤ）のデータエリア３２２Ａに登録されているデータを一覧にした部屋表示画面ＧＲが生成され、前記先生のパソコンＰＣ（通信機器２０）に送信される（ステップＳ３０７）。前記部屋表示画面ＧＲには、当該部屋の部屋名「身長・体重の比較」（ｒｎ）、部屋の説明「日本、アメリカ、ドイツの子供…統計計算を学ぶ。」（ｒｅ）、部屋ＩＤ（グループＩＤ）“RK8n-1RvB-95Ez-ee2R”と共に、２次元コード（ＱＲコード）マークＭｑが表記される。また、前記部屋表示画面ＧＲには、当該部屋に登録されて統合された各計算データを一覧表示する計算データ一覧エリアＡｇ（初期状態ではデータ無し）、各計算データの全選択を指定する［Select All］キーＫｓ、各計算データを統合したグラフの表示を指定する［Combine Graph］キーＫｃ、各計算データの表示形態を選択するプルダウンメニューｐｄ、グラフの種類を選択するグラフメニューＭｇ、登録データの削除を指定する［Delete］キーＫｄが設けられる。
【００７６】
前記先生のパソコンＰＣに受信されて表示された部屋表示画面ＧＲ（図１１（Ｂ）参照）において、当該部屋の部屋ＩＤ（グループＩＤ）“RK8n-1RvB-95Ez-ee2R”を同先生（あるいは副担任である他の先生）のカメラ付き通信機器（スマートフォン等）２０Ａ（あるいは２０Ｂ）に登録するために、前記部屋表示画面ＧＲに表記されている２次元コード（ＱＲコード）マークＭｑがユーザ（先生）によって指定されると、前記部屋ＩＤ（グループＩＤ）を２次元コード（ＲＱコード）化して表示させるための指示が前記計算サーバ３０へ送信される。
【００７７】
前記計算サーバ３０において、前記先生のパソコンＰＣから送信された前記部屋ＩＤ（グループＩＤ）を２次元コード（ＲＱコード）化して表示させるための指示が受信されると（ステップＳ３０８（Ｙｅｓ））、前記部屋ＩＤ（グループＩＤ）“RK8n-1RvB-95Ez-ee2R”を２次元コード（ＲＱコード）化した画像ＱＲが生成され、前記先生のパソコンＰＣに送信される（ステップＳ３０９）。
【００７８】
すると、前記先生のパソコンＰＣにおいて、前記計算サーバ３０から送信された部屋ＩＤ（グループＩＤ）の２次元コード（ＱＲコード）ＱＲが受信されて表示される。
【００７９】
そして、前記先生のカメラ付き通信機器（スマートフォン）２０Ａにおいて、前記計算サーバ３０から予めダウンロードした計算データ送受信処理プログラム（専用ＱＲアプリケーション）を起動させると、図１１（Ｃ）に示すように、ＱＲ読み取り画面Ｇｑｒが表示出力部２１に表示される。
【００８０】
前記先生のカメラ付き通信機器（スマートフォン）２０Ａにおいて、前記表示されたＱＲ読み取り画面ＧｑｒのカメラマークＭｃがタッチ操作され（ステップＳ２０１（Ｙｅｓ））、前記先生のパソコンＰＣに表示されている前記部屋ＩＤ（グループＩＤ）と部屋名の２次元コード（ＱＲコード）ＱＲがカメラ部２６にて撮影されると、撮影された２次元コード（ＱＲコード）ＱＲが解析されその内容のデータが取得される（ステップＳ２０２）。
【００８１】
そして、前記取得された２次元コード（ＱＲコード）の内容のデータに前記英数字１６桁の部屋ＩＤ（グループＩＤ）が含まれると判断されると（ステップＳ２０３（Ｙｅｓ））、図１１（Ｄ）に示すように、当該部屋の取り込みの確認要求ｍ１が表示され、ユーザが「ＯＫ」を操作すると、当該部屋ＩＤ（グループＩＤ）“RK8n-1RvB-95Ez-ee2R”について、スマホからサーバに、当該部屋ＩＤ（グループＩＤ）に対応する部屋名を問いあわせる通信がおこなわれ、サーバから当該部屋ＩＤ（グループＩＤ）に対応する部屋名「身長・体重の比較」が送信されて、スマホが受信し、当該部屋ＩＤ（グループＩＤ）“RK8n-1RvB-95Ez-ee2R”と部屋名「身長・体重の比較」とが対応づけられて部屋ＩＤ記憶エリア２２４のデータエリア２２４ａに登録される（ステップＳ２０４）。
【００８２】
なお、前記先生のパソコンＰＣ（通信機器）からの部屋ＩＤ（グループＩＤ）の作成依頼に応じて、前記計算サーバ３０において、前記生成された部屋ＩＤ（グループＩＤ）“RK8n-1RvB-95Ez-ee2R”に対してユーザ入力された部屋名「身長・体重の比較」と部屋の説明「日本、アメリカ、ドイツの子供…統計計算を学ぶ。」とが対応付けられて登録された後に（ステップＳ３０１〜Ｓ３０７）、前記先生のパソコンＰＣ（通信機器２０）から当該計算サーバ３０に対して、前記生成された部屋ＩＤ（グループＩＤ）をメール送信する指示と送信先のメールアドレス（先生Ａ（Ｂ）の通信機器２０Ａ（２０Ｂ）のメールアドレス）が受信されると（ステップＳ３１０（Ｙｅｓ））、当該受信されたメールアドレスの通信機器２０Ａ（２０Ｂ）に対して、前記登録された部屋ＩＤ（グループＩＤ）“RK8n-1RvB-95Ez-ee2R”と部屋名「身長・体重の比較」と部屋の説明「日本、アメリカ、ドイツの子供…統計計算を学ぶ。」とがメール送信されて登録される（ステップＳ３１１）。
【００８３】
これにより、前記計算サーバ３０に、部屋ＩＤ（グループＩＤ）“RK8n-1RvB-95Ez-ee2R”と部屋名「身長・体重の比較」と部屋の説明「日本、アメリカ、ドイツの子供…統計計算を学ぶ。」とを対応付けたデータエリア３２２Ａを事前に作成し、前記２次元コード（ＱＲコード）ＱＲの撮影あるいは前記メール送信により、前記先生（主担任Ａ（副担任Ｂ））のカメラ付き通信機器（スマートフォン）２０Ａ（２０Ｂ）の部屋ＩＤ記憶エリア２２４に当該部屋ＩＤと部屋名とを登録できる（ステップＳ３０７〜Ｓ３１２／Ｓ２０１〜Ｓ２０４）。
【００８４】
こうして、前記先生Ａ（Ｂ）のカメラ付き通信機器（スマートフォン）２０Ａ（２０Ｂ）の部屋ＩＤ記憶エリア２２４のデータエリア２２４ａに、前記部屋ＩＤ（グループＩＤ）“RK8n-1RvB-95Ez-ee2R”と部屋名「身長・体重の比較」と部屋の説明「日本、アメリカ、ドイツの子供…統計計算を学ぶ。」とが登録されると、図１２（Ｄ）に示すように、前記部屋ＩＤ記憶エリア２２４（２２４ａ）に登録されている部屋名（ここでは「身長・体重の比較」だけ）が読み出され、部屋一覧画面ＲＬとして表示出力部２１に表示される（ステップＳ２０５）。なお、この画面では、登録されている部屋名が１つであり、１つの部屋名が一覧画面に表示されている。
【００８５】
ここで、各生徒Ａ，Ｂ，Ｃの関数電卓１０Ａ，１０Ｂ，１０Ｃによる統計計算データの作成処理について説明する。
【００８６】
生徒Ａの関数電卓（情報表示装置）１０Ａの［ＭＯＤＥ］キーの操作に応じて表示される計算機能一覧メニュー（図示せず）において、前記図６における計算処理に従い、統計計算機能が選択されると（ステップＳ１０１）、当該関数電卓１０Ａの動作モードが統計モードに設定され、統計計算の種類を指定するための統計計算種類一覧メニュー（図示せず）が表示出力部１２に表示される。
【００８７】
前記統計計算種類一覧メニューにおいて、ユーザ所望の計算種類（ここでは［Ａ＋ＢＸ］→２変数統計計算；１次回帰）が指定されると（ステップＳ１０２）、図１２（Ｂ）に示すように、当該指定の計算種類（２変数統計計算）での計算要素（表）データ（計算対象データ）を入力するための表データ入力画面（ここでは２変数入力画面）Ｇｉが前記表示出力部１２に表示される。
【００８８】
この表データ入力画面（２変数入力画面）Ｇｉにおいて、所望の計算要素（表）データ（ここでは、日本中学女子の身長Ｘ・体重Ｙのサンプルデータ）が入力されると、前記指定された計算種類（２変数統計計算）と当該入力された要素データＸ，Ｙがメモリ１４内の入力データエリア１４３に記憶される（ステップＳ１０３）。
【００８９】
ここで、前記指定された統計計算（２変数統計計算；１次回帰）で計算要素データＸ，Ｙ（日本中学女子の身長Ｘ・体重Ｙ）を入力した状態での計算データを前記計算サーバ３０に送るために、キー入力部１１の［ＱＲ］（［ＳＨＩＦＴ］＋［ＯＰＴＮ］）キーが操作されると（ステップＳ１０４）、『計算サーバ３０のＨＰアドレス、本電卓の固有ＩＤ（ｘｘｘｘ１）、計算データとして実行中の計算機能種別（統計計算機能と計算種類（２変数統計計算；１次回帰））、機能別計算データ（計算要素データ（日本中学女子の身長Ｘ・体重Ｙ））、設定情報、その他』のデータが２次元コード（ＱＲコード）化され、図１２（Ｃ）に示すように、当該２次元コード（ＱＲコード）の画像ＱＡが表示出力部１２に表示される（ステップＳ１０５）。
【００９０】
なお、前記設定情報については、特にフローチャートでは示していないが、キー入力部１１の［ＳＨＩＦＴ］＋［ＭＯＤＥ］（＝［ＳＥＴＵＰ］）キー操作に従って設定されて入力データエリア１４３に記憶されるものであり、当該設定情報としては、例えば、角度モード（ｄｅｇ（度）モード／ｒａｄ（ラジアン）モード／ｇｒａ（グラード）モード）、丸めモード（Ｎｏｒｍ（指数表示）モード／Ｆｉｘ（小数点以下桁数固定）モード／Ｓｃｉ（有効桁数指定）モード）、表示モード（ＬｉｎｅＩＯ（１行表示）モード／ＭｔｈＩＯ（教科書表示）モード）などの各種モードの設定を含む。
【００９１】
また、前記ステップＳ１０１〜Ｓ１０３の処理に従い、前記指定の種類の統計計算（ここでは、２変数統計計算；１次回帰）のための計算要素データ（Ｘ，Ｙ）が入力された後に、［＝］キーのユーザ操作により計算実行が指示されると（ステップＳ１０６（Ｙｅｓ））、当該指定の種類の統計計算（２変数統計計算；１次回帰）が実行される（ステップＳ１０７）。
【００９２】
この際、前記２変数統計計算の実行処理（Ｓ１０７）では、前記計算要素データ（Ｘ，Ｙ）に基づき、回帰式（ｙ＝ａ＋ｂｘ）のパラメータａ，ｂ、相関係数ｒ、決定係数ｒ２、平均平方誤差ＭＳｅが算出され、統計計算結果データとして前記表示出力部１２に表示される（ステップＳ１０８）。
【００９３】
そして、前記指定された統計計算（２変数統計計算；１次回帰）を実行した状態での計算結果データを含む計算データを前記計算サーバ３０に送るために、キー入力部１１の［ＱＲ］キーが操作されると（ステップＳ１０９）、『計算サーバ３０のＨＰアドレス、本電卓の固有ＩＤ（ｘｘｘｘ１）、計算データとして実行中の計算機能種別（統計計算機能と計算種類（２変数統計計算；１次回帰））、日本中学女子の身長・体重の統計計算結果データ、設定情報、その他』のデータが２次元コード（ＱＲコード）化され、表示出力部１２に表示される（ステップＳ１１０）。
【００９４】
この後、前記計算要素データの再入力がある場合には、前記ステップＳ１０２からの処理に戻り（ステップＳ１１１→Ｓ１０２）、無い場合には前記ステップＳ１０１からの処理に戻る。
【００９５】
ここで、前記図１２（Ａ）で示したように、先生のカメラ付き通信機器２０Ａで、部屋一覧表示機能の操作に応じて表示された部屋一覧画面ＲＬの部屋名「身長・体重の比較」Ｒ１がタッチされて選択されると（ステップＳ２０６（Ｙｅｓ））、図１２（Ｄ）に示すように、３つの選択項目（Ａ）「ブラウザアプリで部屋を開く」、（Ｂ）「部屋のＵＲＬをメールで送る」、（Ｃ）「部屋に追加するＱＲコード（計算データ）を読み込む」からなる部屋操作メニューＭｓ１が表示される（ステップＳ２０７）。
【００９６】
前記部屋操作メニューＭｓ１において、前記生徒Ａの関数電卓１０Ａに表示させた２次元コード画像（ＱＲコード）ＱＡを読み取るために、前記部屋操作メニューＭｓ１の（Ｃ）「部屋に追加するＱＲコードを読み込む」がタッチ選択されると（ステップＳ２０８（Ｃ））、図１２（Ｅ）に示すように、ＱＲ読み取り画面Ｇｑｒが表示出力部２１に表示され前記２次元コード（ＱＲコード）ＱＡの読み取り待機状態になる。
【００９７】
そして、前記図１２（Ｃ）で示したように、前記生徒Ａの関数電卓１０Ａの統計計算機能での計算処理後（計算要素データの入力後（ステップＳ１０１〜Ｓ１０５））に表示出力部１２に表示された２次元コード（ＱＲコード）ＱＡを、図１２（Ｅ）に示すように、前記先生Ａのカメラ付き通信機器（スマートフォン）２０ＡでカメラマークＭｃをタッチ操作して撮影すると、図７における計算データ送受信処理に従い、前記２次元コード（ＱＲコード）ＱＡの内容のデータ（ＱＲデータ）『計算サーバ３０のＨＰアドレス、関数電卓１０Ａの固有ＩＤ（ｘｘｘｘ１）、計算機能種別（統計計算機能と計算種類（２変数統計計算；１次回帰））、計算対象データ（日本中学女子の身長Ｘ・体重Ｙ）（又は計算結果データ）、設定情報、その他』が解析されて取得される（ステップＳ２１０）。
【００９８】
ここで、前記２次元コード（ＱＲコード）ＱＡの撮影により取得された内容のデータ（ＱＲデータ）が計算データであると判断されると（ステップＳ２１１（Ｙｅｓ））、前記メモリ２３内のニックネーム記憶エリア２２３において、前記取得された２次元コード（ＱＲコード）ＱＡの内容のデータ（ＱＲデータ）に含まれている前記関数電卓１０Ａの固有ＩＤ（ｘｘｘｘ１）と対応付けたニックネームが登録済みであるか否かが判断される（ステップＳ２１２）。
【００９９】
初期状態では、前記関数電卓１０Ａの固有ＩＤ（ｘｘｘｘ１）と対応付けたニックネームが登録済みでないと判断され（ステップＳ２１２（Ｎｏ））、図１３（Ａ）に示すように、前記計算データを取得した元の関数電卓１０Ａのユーザ（生徒Ａ）のニックネームの入力を促すニックネーム入力要求（部屋「身長・体重の比較」に共有します。ニックネームを入力して下さい。）ｍ２が表示される。
【０１００】
前記ニックネーム入力要求ｍ２に従い、前記生徒Ａのニックネーム「イチロー」が入力され、当該入力要求ｍ２に付加されている［共有する］キーがタッチ操作されると、前記関数電卓１０Ａから取得された電卓固有ＩＤ（ｘｘｘｘ１）と前記入力された生徒Ａのニックネーム「イチロー」が対応付けられて前記ニックネーム記憶エリア２２３のデータエリア２２３ａに登録される（ステップＳ２１３）。
【０１０１】
なお、前記メモリ２３内のニックネーム記憶エリア２２３に、前記関数電卓１０Ａから取得された固有ＩＤ（ｘｘｘｘ１）と対応付けたニックネームが登録済みであると判断された場合は（ステップＳ２１２（Ｙｅｓ））、当該登録済みのニックネームが前記ニックネーム入力要求ｍ２に予め付加されて表示される（ステップＳ２１４）。
【０１０２】
すると、前記関数電卓１０Ａから取得された２次元コード（ＱＲコード）ＱＡの内容のデータ（ＱＲデータ）『関数電卓１０Ａの固有ＩＤ（ｘｘｘｘ１）、計算機能種別（統計計算機能と計算種類（２変数統計計算；１次回帰））、計算対象データ（日本中学女子の身長Ｘ・体重Ｙ）（又は計算結果データ）、設定情報、その他』と、前記ステップＳ２０６にて選択されて共有先となっている部屋「身長・体重の比較」の部屋ＩＤ（グループＩＤ）“RK8n-1RvB-95Ez-ee2R”と、前記入力された生徒Ａのニックネーム「イチロー」とが、計算サーバ３０へ送信され、図１３（Ｂ）に示すように、共有完了確認要求ｍ３が表示される（ステップＳ２１５）。
【０１０３】
続いて、生徒Ｂの関数電卓１０Ｂにおける計算処理（図６参照）に従い、前記生徒Ａの関数電卓１０Ａと同様に、アメリカ中学女子の身長Ｘ・体重Ｙのサンプルデータが入力されて処理・表示された２次元コード（ＱＲコード）ＱＢを前記先生Ａのカメラ付き通信機器２０Ａで撮影するために、前記共有完了確認要求ｍ３に付加されている［次の電卓のＱＲコードを読み取る］キーがタッチ操作されると（ステップＳ２１６（Ｙｅｓ））、前記ステップＳ２１０以降の処理が繰り返される。
【０１０４】
すなわち、前記生徒Ｂの関数電卓１０Ｂに表示された２次元コード（ＱＲコード）ＱＢを前記先生Ａのカメラ付き通信機器２０Ａにより撮影することで、当該関数電卓１０Ｂの固有ＩＤ（ｘｘｘｘ２）にニックネーム「ヨーコ」が対応付けられて前記ニックネーム記憶エリア２２３のデータエリア２２３ｂに登録される（ステップＳ２１０〜Ｓ２１３）。
【０１０５】
そして、前記関数電卓１０Ｂから取得された２次元コード（ＱＲコード）ＱＢの内容のデータ（ＱＲデータ）『関数電卓１０Ｂの固有ＩＤ（ｘｘｘｘ２）、計算機能種別（統計計算機能と計算種類（２変数統計計算；１次回帰））、計算対象データ（アメリカ中学女子の身長Ｘ・体重Ｙ）（又は計算結果データ）、設定情報、その他』と、前記部屋「身長・体重の比較」の部屋ＩＤ（グループＩＤ）“RK8n-1RvB-95Ez-ee2R”と、前記生徒Ｂのニックネーム「ヨーコ」とが、計算サーバ３０へ送信される（ステップＳ２１５）。
【０１０６】
さらに、生徒Ｃの関数電卓１０Ｃにおける計算処理（図６参照）に従い、前記生徒Ａ，Ｂの関数電卓１０Ａ，１０Ｂと同様に、ドイツ中学女子の身長Ｘ・体重Ｙのサンプルデータが入力されて処理・表示された２次元コード（ＱＲコード）ＱＣについても、先生のカメラ付き通信機器（スマートフォン）２０により撮影され、当該電卓１０Ｃの固有ＩＤ（ｘｘｘｘ３）にニックネーム「アキラ」が対応付けられて前記ニックネーム記憶エリア２２３に登録される（ステップＳ２１０〜Ｓ２１３（Ｓ２１４））。
【０１０７】
なお、本実施形態では、前記生徒Ｃの関数電卓１０Ｃの計算処理に従い表示された２次元コード（ＱＲコード）ＱＣは、先生Ｂ（副担任）のカメラ付き通信機器（スマートフォン等）２０Ｂにより撮影され、前記同様の処理（ステップＳ２１０〜Ｓ２１５）に従い、その内容のデータ（ＱＲデータ）『関数電卓１０Ｃの固有ＩＤ（ｘｘｘｘ３）、計算機能種別（統計計算機能と計算種類（２変数統計計算；１次回帰））、計算対象データ（ドイツ中学女子の身長Ｘ・体重Ｙ）（又は計算結果データ）、設定情報、その他』と、前記部屋「身長・体重の比較」の部屋ＩＤ（グループＩＤ）“RK8n-1RvB-95Ez-ee2R”と、前記生徒Ｃのニックネーム「アキラ」とが、計算サーバ３０へ送信される。
【０１０８】
前記先生Ｂのカメラ付き通信機器（スマートフォン）２０Ｂに対しては、前記先生Ａのカメラ付き通信機器（スマートフォン）２０Ａにおいて、前記図１２（Ｄ）で示したように、部屋名「身長・体重の比較」Ｒ１をタッチ操作して表示された部屋操作メニューＭｓ１のうち、（Ｂ）「部屋のＵＲＬをメールで送る」をタッチ操作することにより（ステップＳ２０５〜Ｓ２０８（Ｂ））、メールアプリケーションを起動させ、ユーザ指定のメールアドレス（先生Ｂの通信機器２０Ｂのメールアドレス）に前記部屋ＩＤ記憶エリア２２４（２２４ａ）に登録された部屋ＩＤ（グループＩＤ）“RK8n-1RvB-95Ez-ee2R”と部屋名「身長・体重の比較」とを送信して同様に登録することができる（ステップＳ２１７）。
【０１０９】
前記先生Ａ（Ｂ）のカメラ付き通信機器（スマートフォン）２０Ａ（２０Ｂ）において、各生徒Ａ，Ｂ，Ｃの関数電卓１０Ａ，１０Ｂ，１０Ｃに表示された２次元コード画像（ＱＲコード）ＱＡ，ＱＢ，ＱＣの撮影が終わることで、前記共有完了確認要求ｍ３（図１３（Ｂ）参照）に付加されている［完了］キーがタッチ操作されると（ステップＳ２２５（Ｙｅｓ））、実行中の計算データ送受信処理（専用ＱＲアプリケーション）が終了される。
【０１１０】
なお、前記関数電卓１０から前記先生のカメラ付き通信機器（スマートフォン）２０に取得するデータ『電卓固有ＩＤ、計算機能種別（統計計算機能と計算種類）、計算対象データ（又は計算結果データ）、設定情報、その他』は、前記関数電卓１０において、当該データを２次元コード（ＱＲコード）化し、これを前記先生のカメラ付き通信機器（スマートフォン）２０にて撮影し解析することで取得する構成としたが、前記関数電卓１０の無線通信部１６と前記先生の通信機器２０の無線通信部２８との近距離無線通信によって取得する構成としてもよい。
【０１１１】
そして、前記計算サーバ３０において、前記先生Ａ，Ｂのカメラ付き通信機器（スマートフォン）２０Ａ，２０Ｂから送信された前記各生徒Ａ，Ｂ，Ｃの関数電卓１０Ａ，１０Ｂ，１０Ｃに対応した２次元コード（ＱＲコード）ＱＡ，ＱＢ，ＱＣの内容のデータ（ＱＲデータ）『電卓固有ＩＤ、計算機能種別（統計計算機能と計算種類）、計算対象データ（又は計算結果データ）、設定情報、その他』が、前記部屋「身長・体重の比較」の部屋ＩＤ（グループＩＤ）“RK8n-1RvB-95Ez-ee2R”とニックネーム「イチロー」「ヨーコ」「アキラ」とを対応付けて受信されると（ステップＳ３１３）、当該受信された２次元コード（ＱＲコード）ＱＡ，ＱＢ，ＱＣの内容データ（ＱＲデータ）とニックネームが、当該受信された部屋ＩＤ（グループＩＤ）“RK8n-1RvB-95Ez-ee2R”専用のデータエリア３２２Ａに各生徒Ａ，Ｂ，Ｃ毎に保存される（ステップＳ３１４）。
【０１１２】
すなわち、前記計算サーバ３０の登録データメモリ３２２における部屋ＩＤ（グループＩＤ）“RK8n-1RvB-95Ez-ee2R”専用のデータエリア（部屋名「身長・体重の比較」）３２２Ａには、生徒Ａのニックネーム「イチロー」および計算データ『計算機能種別（統計計算機能と計算種類（２変数統計計算；１次回帰））、計算対象データ（日本中学女子の身長Ｘ・体重Ｙ）（又は計算結果データ）』と、生徒Ｂのニックネーム「ヨーコ」および計算データ『計算機能種別（統計計算機能と計算種類（２変数統計計算；１次回帰））、計算対象データ（アメリカ中学女子の身長Ｘ・体重Ｙ）（又は計算結果データ）』と、生徒Ｃのニックネーム「アキラ」および計算データ『計算機能種別（統計計算機能と計算種類（２変数統計計算；１次回帰））、計算対象データ（ドイツ中学女子の身長Ｘ・体重Ｙ）（又は計算結果データ）』とが保存される。
【０１１３】
この後、前記先生のパソコンＰＣ（通信機器２０）において、前記図１１（Ｂ）で示したように表示された「身長・体重の比較」の部屋表示画面ＧＲを再読み込みすると、前記計算サーバ３０の部屋ＩＤ（グループＩＤ）“RK8n-1RvB-95Ez-ee2R”に対応したデータエリア（部屋名「身長・体重の比較」）３２２Ａに保存されて統合されている各生徒Ａ，Ｂ，Ｃそれぞれの計算データが、その計算機能種別（統計計算機能と計算種類（２変数統計計算；１次回帰））に応じて計算される（ステップＳ３１６（Ｙｅｓ），Ｓ３１７）。そして、図１３（Ｃ）に示すように、各計算データ毎に各ニックネーム「イチロー」「ヨーコ」「アキラ」と各グラフ画像（散布図：デフォルト）ＧＡ，ＧＢ，ＧＣとを対応付けて一覧にした画像統合データＡｇが生成され、当該画像統合データＡｇを含めて更新した部屋表示画面ＧＲが前記先生のパソコンＰＣ（通信機器２０）に送信されて表示される（ステップＳ３１７）。
【０１１４】
また、前記先生の通信機器２０（パソコンＰＣ）において、例えば、前記ＱＲ読み取り画面Ｇｑｒ（図１１（Ｃ）参照）に表示されている家マークＲｏｏｍがタッチ操作されることで部屋一覧表示の操作があったと判断されると（ステップＳ２１８（Ｙｅｓ））、前記部屋ＩＤ記憶エリア２２４（２２４ａ）に登録されている部屋名（ここでは「身長・体重の比較」だけ）が読み出され、部屋一覧画面ＲＬ（図１２（Ａ）参照）として表示出力部２１に表示される（ステップＳ２０５）。
【０１１５】
そして、前記部屋一覧画面ＲＬの部屋名「身長・体重の比較」Ｒ１を選択して表示された部屋操作メニューＭｓ１（図１２（Ｄ）参照）において（ステップＳ２０６（Ｙｅｓ），Ｓ２０７）、（Ａ）「ブラウザアプリで部屋を開く」がタッチ操作され選択されると（ステップＳ２０８（Ａ））、ブラウザアプリケーションが起動され、前記選択された部屋名「身長・体重の比較」Ｒ１の部屋ＩＤ（グループＩＤ）“RK8n-1RvB-95Ez-ee2R”を指定して当該部屋を開く依頼が前記計算サーバ３０へ送信される（ステップＳ２０９）。
【０１１６】
すると、前記先生のパソコンＰＣにおける部屋表示画面ＧＲの再読み込みの際と同様に、前記計算サーバ３０の部屋ＩＤ（グループＩＤ）“RK8n-1RvB-95Ez-ee2R”に対応した各生徒Ａ，Ｂ，Ｃそれぞれの計算データが、その計算機能種別に応じて計算される（ステップＳ３１６（Ｙｅｓ），Ｓ３１７）。そして、各計算データ毎に各ニックネーム「イチロー」「ヨーコ」「アキラ」と各グラフ画像ＧＡ，ＧＢ，ＧＣとを対応付けて一覧にした画像統合データＡｇが生成され、当該画像統合データＡｇを含めた部屋表示画面ＧＲとして前記先生の通信機器２０（パソコンＰＣ）に送信されて表示される（ステップＳ３１７）。
【０１１７】
図１４は、前記計算機システムの表示動作（その４）を示す図である。
【０１１８】
前記先生のパソコンＰＣ（通信機器２０）から前記計算サーバ３０のＨＰアドレス（計算サイト）にアクセスして前記部屋名「身長・体重の比較」に対応する部屋ＩＤ（グループＩＤ）“RK8n-1RvB-95Ez-ee2R”のデータエリア３２２Ａを作成した場合と同様に、新たな部屋名「サイコロを使った確率の学習」に対応する部屋ＩＤ（グループＩＤ）“AKBa-22C5-Za4b-ff23”のデータエリア３２２Ｂを作成する（ステップＳ３０１〜Ｓ３０６）。
【０１１９】
そして、前記計算サーバ３０に作成した新たな部屋の部屋ＩＤ（グループＩＤ）“AKBa-22C5-Za4b-ff23”と部屋名「サイコロを使った確率の学習」とを、前記先生のカメラ付き通信機器（スマートフォン）２０の部屋ＩＤ記憶エリア２２４のデータエリア２２４ｂに対して、前記同様の２次元コード（ＱＲコード）化した画像ＱＲの読み取りか、またはメール送信により登録する（ステップＳ３０７〜Ｓ３１２／Ｓ２０１〜Ｓ２０４）。
【０１２０】
生徒Ａの関数電卓（情報表示装置）１０Ａにおいて、前記同様に統計計算機能が選択され（ステップＳ１０１）、その計算種類（ここでは、１変数統計計算）が指定されると（ステップＳ１０２）、図１４（Ａ）に示すように、当該指定の計算種類（１変数統計計算）での計算要素（表）データを入力するための表データ入力画面（ここでは１変数入力画面）Ｇｉが前記表示出力部１２に表示される。
【０１２１】
この表データ入力画面（１変数入力画面）Ｇｉにおいて、所望の計算要素（表）データ（ここでは、サイコロを６回振って出た目Ｘのサンプルデータ）が入力されると、前記指定された計算種類（１変数統計計算）と当該入力された要素データＸがメモリ１４内の入力データエリア１４３に記憶される（ステップＳ１０３）。
【０１２２】
ここで、前記指定された統計計算（１変数統計計算）で計算要素データＸ（サイコロを６回振って出た目Ｘ）を入力した状態での当該計算データを前記計算サーバ３０に送るために、前記身長・体重の統計計算の場合と同様に、キー入力部１１の［ＱＲ］キーが操作されると（ステップＳ１０４）、『計算サーバ３０のＨＰアドレス、本電卓の固有ＩＤ（ｘｘｘｘ１）、実行中の計算機能種別（統計計算機能と計算種類（１変数統計計算））、機能別計算データ（計算要素データ（サイコロを６回振って出た目Ｘ））、設定情報、その他』がバーコード内容データとして、２次元コード画像（ＱＲコード）化され、図１４（Ｂ）に示すように、当該２次元コード（ＱＲコード）の画像ＱＡが表示出力部１２に表示される（ステップＳ１０５）。
【０１２３】
そして、先生のカメラ付き通信機器２０で、図１４（Ｃ）に示すように、部屋一覧画面ＲＬの部屋名「サイコロを使った確率の学習」Ｒ２を選択することで表示された部屋操作メニューＭｓ１において（ステップＳ２０５〜Ｓ２０７）、前記同様に（Ｃ）「部屋に追加するＱＲコードを読み込む」が選択されると（ステップＳ２０８（Ｃ））、図１４（Ｄ）に示すように、ＱＲ読み取り画面Ｇｑｒが表示出力部２１に表示される。
【０１２４】
そして、前記図１４（Ｂ）で示した、前記生徒Ａの関数電卓１０Ａに表示された２次元コード（ＱＲコード）ＱＡを、図１４（Ｄ）に示すように、前記先生のカメラ付き通信機器（スマートフォン）２０で撮影すると、前記２次元コード画像（ＱＲコード）ＱＡの内容のデータ（ＱＲデータ）『計算サーバ３０のＨＰアドレス、本電卓の固有ＩＤ（ｘｘｘｘ１）、実行中の計算機能種別（統計計算機能と計算種類（１変数統計計算））、機能別計算データ（計算要素データ（サイコロを６回振って出た目Ｘ））、設定情報、その他』が解析されて取得される（ステップＳ２１０）。
【０１２５】
すると、前記メモリ２３内のニックネーム記憶エリア２２３において、前記取得された２次元コード画像（ＱＲコード）ＱＡの内容のデータ（ＱＲデータ）に含まれている前記関数電卓１０Ａの固有ＩＤ（ｘｘｘｘ１）と対応付けたニックネーム「イチロー」が登録済みであると判断されるので（ステップＳ２１１，Ｓ２１２（Ｙｅｓ））、図１４（Ｅ）に示すように、当該登録済みのニックネーム「イチロー」がニックネーム入力要求ｍ２に予め付加されて表示される（ステップＳ２１４）。
【０１２６】
そして、前記入力要求ｍ２に付加されている［共有する］キーがタッチ操作されると、前記関数電卓１０Ａから取得された２次元コード画像（ＱＲコード）ＱＡの内容のデータ（ＱＲデータ）『本電卓の固有ＩＤ（ｘｘｘｘ１）、実行中の計算機能種別（統計計算機能と計算種類（１変数統計計算））、機能別計算データ（計算要素データ（サイコロを６回振って出た目Ｘ））、設定情報、その他』と、前記ステップＳ２０６にて選択されて共有先となっている新たな部屋「サイコロを使った確率の学習」の部屋ＩＤ（グループＩＤ）“AKBa-22C5-Za4b-ff23”と、前記生徒Ａのニックネーム「イチロー」とが、計算サーバ３０へ送信される（ステップＳ２１５）。
【０１２７】
この後、生徒Ｂの関数電卓１０Ｂ、生徒Ｃの関数電卓１０Ｃについても、前記生徒Ａの関数電卓１０Ａと同様に、各電卓固有ＩＤと統計計算処理に従い入力したサイコロを６回振って出た目の計算データとを２次元コード（ＱＲコード）化した画像ＱＢ，ＱＣとして表示させ（ステップＳ１０１〜Ｓ１０５）、これを前記先生のカメラ付き通信機器２０により撮影することで、当該各電卓固有ＩＤと計算データと前記新たな部屋「サイコロを使った確率の学習」の部屋ＩＤ（グループＩＤ）“AKBa-22C5-Za4b-ff23”と各生徒のニックネーム「ヨーコ」「アキラ」とを対応付けて計算サーバ３０へ送信できる（ステップＳ２１０〜Ｓ２１６）。
【０１２８】
これにより、前記計算サーバ３０の登録データメモリ３２２における部屋ＩＤ（グループＩＤ）“AKBa-22C5-Za4b-ff23”専用のデータエリア（部屋名「サイコロを使った確率の学習」）３２２Ｂには、前記先生のカメラ付き通信機器（スマートフォン）２０から受信された各電卓固有ＩＤと計算データとニックネームとが、各生徒Ａ，Ｂ，Ｃ毎に保存されて登録される（ステップＳ３１３（Ｙｅｓ），Ｓ３１４）。
【０１２９】
よって、先生のカメラ付き通信機器２０（パソコンＰＣ）の計算データ送受信処理に従い表示される部屋一覧画面ＲＬ（図１４（Ｃ）参照）から部屋名「サイコロを使った確率の学習」Ｒ２を選択し、部屋操作メニューＭｓ１の（Ａ）「ブラウザアプリで部屋を開く」を選択することで（ステップＳ２１８（Ｙｅｓ）→Ｓ２０５〜Ｓ２０８（Ａ）→Ｓ２０９）、前記部屋「身長・体重の比較」の部屋表示画面ＧＲ（図１３（Ｃ）参照）を表示させた場合と同様に、前記計算サーバ３０の選択された部屋「サイコロを使った確率の学習」（３２２Ｂ）に保存されている各生徒Ａ，Ｂ，Ｃそれぞれの計算データから、各計算データ毎に各ニックネーム「イチロー」「ヨーコ」「アキラ」と各グラフ画像とを対応付けて一覧にした画像統合データＡｇを生成し、当該画像統合データＡｇを含めた部屋表示画面ＧＲとして前記先生の通信機器２０（パソコンＰＣ）に表示させることができる（ステップＳ３１６，Ｓ３１７）。
【０１３０】
これにより、各生徒Ａ，Ｂ，Ｃ，…それぞれの関数電卓１０Ａ，１０Ｂ，１０Ｃ，…により統計計算処理した計算データを、課題ごと（身長・体重の比較／サイコロを使った確率）に異なる部屋毎に統合した統合データとして管理して表示させることができる。
【０１３１】
そして、前記統合データとして統合された各関数電卓１０Ａ，１０Ｂ，１０Ｃ，…毎の計算データには、各対応する生徒Ａ，Ｂ，Ｃ，…のニックネームを付けて管理して表示させることができる。
【０１３２】
この際、各生徒Ａ，Ｂ，Ｃ，…のニックネームは、先生の通信機器２０（パソコンＰＣ）に各関数電卓１０Ａ，１０Ｂ，１０Ｃ，…の電卓固有ＩＤと対応付けて登録して管理する。そして、前記計算サーバ３０の登録データメモリ３２２に保存した部屋毎のデータ（各生徒毎のニックネームと計算データを含む）は、前記部屋表示画面ＧＲに設けられた［Delete］キーＫｄによりユーザ任意のタイミングで削除して消去できるだけでなく、例えば、学習のカリキュラムに合わせた週単位や月単位で定期的に自動削除して消去することもできる。よって、前記計算サーバ３０に保存されたニックネーム等の個人情報が第３者に悪用される恐れを防ぐことができる。
【０１３３】
以下、図１５、図１６を用いて前記計算機システムの表示動作を説明する。前記図１１（Ａ）〜図１２（Ａ）で示したように、前記先生のパソコンＰＣ（通信機器２０）からの操作に応じて、前記計算サーバ３０の登録データメモリ３２２に部屋ＩＤ（グループＩＤ）“RK8n-1RvB-95Ez-ee2R”専用のデータエリア（部屋名「身長・体重の比較」）３２２Ａを作成し（ステップＳ３０１〜Ｓ３１２）、当該先生のパソコンＰＣ（通信機器２０）の部屋ＩＤ記憶エリア２２４に、前記作成した部屋の部屋ＩＤ（グループＩＤ）“RK8n-1RvB-95Ez-ee2R”と部屋名「身長・体重の比較」とを登録する（ステップＳ２０１〜Ｓ２０５）。
【０１３４】
そして、図１２（Ｂ）（Ｃ）で示したように、生徒Ａの関数電卓１０Ａにより統計計算処理（２変数統計（１次回帰））の計算対象データとして日本中学女子の身長・体重のサンプルデータを入力し、『電卓固有ＩＤ（ｘｘｘｘ１）、計算機能種別（統計計算機能と計算種類（２変数統計計算；１次回帰））、計算対象データ』を含む２次元コード（ＱＲコード）ＱＡを表示させる（ステップＳ１０１〜Ｓ１０５）。
【０１３５】
ここで、図１５（Ａ）に示すように、前記カメラ付き通信機器（スマートフォン）２０において、ＱＲ読み取り画面Ｇｑｒを表示させ、カメラマークＭｃをタッチ操作して前記関数電卓１０Ａに表示された２次元コード（ＱＲコード）ＱＡを撮影する（ステップＳ２０１，Ｓ２０２）。
【０１３６】
すると、前記カメラ付き通信機器（スマートフォン）２０において、前記撮影された２次元コード（ＱＲコード）ＱＡの内容のデータ（ＱＲデータ）が解析され、前記計算機能種別や計算対象データを含む計算データであると判断され（ステップＳ２１９（Ｙｅｓ））、図１５（Ｂ）に示すように、３つの選択項目（Ｘ）「ブラウザアプリで開く」、（Ｙ）「メールで送る」、（Ｚ）「部屋に共有」からなるデータ操作メニューＭｓ２が表示される（ステップＳ２２０）。
【０１３７】
前記データ操作メニューＭｓ２において、（Ｘ）「ブラウザアプリで開く」がタッチ操作され選択されると（ステップＳ２２１（Ｘ））、ブラウザアプリケーションが起動され、前記２次元コード（ＱＲコード）ＱＡの内容のデータ（ＱＲデータ）『電卓固有ＩＤ（ｘｘｘｘ１）、計算機能種別（統計計算機能と計算種類（２変数統計計算；１次回帰））、計算対象データ（日本中学女子の身長・体重のサンプルデータ）』が前記計算サーバ３０へ送信される（ステップＳ２２６）。
【０１３８】
前記計算サーバ３０において、前記カメラ付き通信機器２０から送信された前記生徒Ａの関数電卓１０Ａに対応した２次元コード（ＱＲコード）ＱＡの内容データ（ＱＲデータ）『電卓固有ＩＤ（ｘｘｘｘ１）、計算機能種別（統計計算機能と計算種類（２変数統計計算；１次回帰））、計算対象データ（日本中学女子の身長・体重のサンプルデータ）』が、部屋ＩＤ（グループＩＤ）なしで受信されると（ステップＳ３１９）、当該受信された２次元コード（ＱＲコード）ＱＡの内容データ（ＱＲデータ）が、メモリ３２内に一時保存される（ステップＳ３２０）。
【０１３９】
ここで、前記メモリ３２に一時保存された２次元コード（ＱＲコード）ＱＡの内容データ（ＱＲデータ）について、統計計算機能のデータであると判断されると（ステップＳ３２１（Ｙｅｓ））、計算対象データ（Ｘ，Ｙ）まで含まれた２次元コード内容データ（ＱＲデータ）であるか、計算結果データまで含まれた２次元コード内容データ（ＱＲデータ）であるかが判断される（ステップＳ３２２）。
【０１４０】
そして、前記一時保存された統計計算機能での２次元コード内容データ（ＱＲデータ）について、計算対象データ（Ｘ，Ｙ）まで含まれた２次元コード内容データ（ＱＲデータ）であると判断されると（ステップＳ３２２（Ｙｅｓ））、当該２次元コード内容データ（ＱＲデータ）の計算機能種別（統計計算機能と計算種類（２変数統計計算；１次回帰））に対応して、計算対象データ（Ｘ，Ｙ）についての統計計算が実行されることにより、その計算結果とグラフ画像（散布図）ＧＡを含む計算結果の画像データＧＳ（図１５（Ｃ）参照）が作成され、前記２次元コード内容データ（ＱＲデータ）の送信元のカメラ付き通信機器２０に送信されて表示される（ステップＳ３２３）。
【０１４１】
なお、前記計算結果の画像データＧＳ（図１５（Ｃ）参照）にも、グラフの種類を選択するグラフメニューＭｇが付加され、当該グラフメニューＭｇのグラフの種類はデフォルトで「散布図」に設定されている。
【０１４２】
一方、前記一時保存された統計計算機能での２次元コード内容データ（ＱＲデータ）について、計算結果データまで含まれた２次元コード内容データ（ＱＲデータ）であると判断されると（ステップＳ３２２（Ｎｏ））、当該２次元コード内容データ（ＱＲデータ）に基づいて、前記計算結果データに対応するグラフ画像が作成され前記データ送信元のカメラ付き通信機器２０へ送信されて表示される（ステップＳ３２４）。
【０１４３】
また、前記図１５（Ｂ）で示したように、前記カメラ付き通信機器（スマートフォン）２０で、前記撮影された２次元コード内容データ（ＱＲデータ）が計算データであると判断された後のデータ操作メニューＭｓ２において、（Ｚ）「部屋に共有」がタッチ操作され選択されると（ステップＳ２２１（Ｚ））、図１５（Ｄ）に示すように、前記部屋ＩＤ記憶エリア２２４に登録されている部屋名（ここでは「身長・体重の比較」「サイコロを使った確率の学習」）が読み出され、部屋一覧画面ＲＬとして表示出力部２１に表示される（ステップＳ２２２）。
【０１４４】
ここで、前記部屋一覧画面ＲＬの部屋名「身長・体重の比較」Ｒ１がタッチされて選択されると（ステップＳ２２３（Ｙｅｓ））、前記メモリ２３内のニックネーム記憶エリア２２３において、前記２次元コード内容データ（ＱＲデータ）に含まれている前記関数電卓１０Ａの固有ＩＤ（ｘｘｘｘ１）と対応付けたニックネームが登録済みであるか否かが判断され（ステップＳ２１２）、登録済みでない（新規登録）と判断されると（ステップＳ２１２（Ｎｏ））、図１６（Ａ）に示すように、前記関数電卓１０Ａのユーザ（生徒Ａ）のニックネームの入力を促すニックネーム入力要求ｍ２が表示される。
【０１４５】
前記ニックネーム入力要求ｍ２に従い、前記生徒Ａのニックネーム「イチロー」が入力され、当該入力要求ｍ２に付加されている［共有する］キーがタッチ操作されると、前記関数電卓１０Ａから取得された電卓固有ＩＤ（ｘｘｘｘ１）と前記入力された生徒Ａのニックネーム「イチロー」が対応付けられて前記ニックネーム記憶エリア２２３のデータエリア２２３ａに登録される（ステップＳ２１３）。
【０１４６】
すると、前記関数電卓１０Ａから取得された２次元コード内容データ（ＱＲデータ）『電卓固有ＩＤ（ｘｘｘｘ１）、計算機能種別（統計計算機能と計算種類（２変数統計計算；１次回帰））、計算対象データ（日本中学女子の身長・体重のサンプルデータ）』と、前記ステップＳ２２３にて選択されて共有先となっている部屋「身長・体重の比較」の部屋ＩＤ（グループＩＤ）“RK8n-1RvB-95Ez-ee2R”と、前記入力された生徒Ａのニックネーム「イチロー」とが、計算サーバ３０へ送信され、図１６（Ｂ）に示すように、共有完了確認要求ｍ４が表示される（ステップＳ２１５）。
【０１４７】
そして、前記計算サーバ３０において、前記カメラ付き通信機器２０から送信された前記生徒Ａの関数電卓１０Ａに対応した２次元コード内容データ（ＱＲデータ）『電卓固有ＩＤ（ｘｘｘｘ１）、計算機能種別（統計計算機能と計算種類（２変数統計計算；１次回帰））、計算対象データ（日本中学女子の身長・体重のサンプルデータ）』が、前記部屋「身長・体重の比較」の部屋ＩＤ（グループＩＤ）“RK8n-1RvB-95Ez-ee2R”とニックネーム「イチロー」とを対応付けて受信されると（ステップＳ３１３）、当該受信された２次元コード内容データ（ＱＲデータ）とニックネームが、当該受信された部屋ＩＤ（グループＩＤ）“RK8n-1RvB-95Ez-ee2R”専用のデータエリア３２２Ａに保存される（ステップＳ３１４）。
【０１４８】
この後、前記先生のパソコンＰＣ（通信機器２０）により、前記部屋一覧画面ＲＬ（図１４（Ｃ）参照）を表示させ（ステップＳ２１８（Ｙｅｓ）→Ｓ２０５）、部屋名「身長・体重の比較」Ｒ１を選択して表示された部屋操作メニューＭｓ１において（ステップＳ２０６（Ｙｅｓ），Ｓ２０７）、（Ａ）「ブラウザアプリで部屋を開く」が選択されると（ステップＳ２０８（Ａ））、ブラウザアプリケーションが起動され、前記選択された部屋名「身長・体重の比較」Ｒ１の部屋ＩＤ（グループＩＤ）“RK8n-1RvB-95Ez-ee2R”を指定して当該部屋を開く依頼が前記計算サーバ３０へ送信される（ステップＳ２０９）。
【０１４９】
すると、前記計算サーバ３０の部屋ＩＤ（グループＩＤ）“RK8n-1RvB-95Ez-ee2R”に対応した生徒Ａの計算データ（ここでは新規登録のため１つのデータ）が、その計算機能種別に応じて計算され（ステップＳ３１６（Ｙｅｓ）→Ｓ３１７）、当該計算データにニックネーム「イチロー」とグラフ画像ＧＡとを対応付けて一覧にした画像統合データＡｇが生成され、当該画像統合データＡｇを含めた部屋表示画面ＧＲとして前記先生のパソコンＰＣ（通信機器２０）に送信されて表示される（ステップＳ３１７）。
【０１５０】
一方、前記図１５（Ｂ）で示したように、前記カメラ付き通信機器（スマートフォン）２０に表示されたデータ操作メニューＭｓ２において、（Ｙ）「メールで送る」を選択した場合は（ステップＳ２２１（Ｙ））、メールアプリケーションを起動させ、ユーザ指定のメールアドレス（例えば他の通信機器２０のメールアドレス）に対して、計算サーバ３０のＨＰアドレス（計算サイト）と前記関数電卓１０Ａから読み取った２次元コード内容データ（ＱＲデータ）とを送信して登録することができる（ステップＳ２２４）。
【０１５１】
これにより、前記関数電卓１０から取得した２次元コード内容データ（ＱＲデータ）『電卓固有ＩＤ、計算機能種別（統計計算機能と計算種類）、計算対象データ（又は計算結果データ）』を、他の通信機器２０からも前記同様に計算サーバ３０へ送信し、該当する部屋の登録データメモリ３２２に保存して登録することができる。
【０１５２】
したがって、前記構成の計算機システムにおける通信機器（スマートフォン等）２０によれば、計算サーバ３０の登録データメモリ３２２に作成した部屋「身長・体重の比較」の部屋ＩＤ（グループＩＤ）“RK8n-1RvB-95Ez-ee2R”を、２次元コード（ＱＲコード）化したデータあるいはメールにより受信して部屋ＩＤ記憶エリア２２４に登録する。各生徒Ａ，Ｂ，…の関数電卓１０Ａ，１０Ｂ，…により計算処理された計算データを各電卓固有ＩＤｘｘｘｘ１，ｘｘｘｘ２，…と対応付けて２次元コード（ＱＲコード）化したデータあるいは近距離無線通信により取得し、各電卓固有ＩＤｘｘｘｘ１，ｘｘｘｘ２，…にユーザ入力した各生徒Ａ，Ｂ，…のニックネーム「イチロー」「ヨーコ」…を対応付けてニックネーム記憶エリア２２３に登録する。そして、前記各関数電卓１０Ａ，１０Ｂ，…から取得された各計算データとその電卓固有ＩＤに対応付けて登録した各ニックネームとを、前記部屋ＩＤ記憶エリア２２４に登録された部屋のうちユーザにより選択した部屋の部屋ＩＤ（グループＩＤ）に対応付けて前記計算サーバ３０へ送信し、該当する部屋の登録データメモリ３２２に保存させる。この後、前記部屋「身長・体重の比較」を選択して計算サーバ３０を開くと、当該部屋の部屋ＩＤ（グループＩＤ）“RK8n-1RvB-95Ez-ee2R”に対応付けられて保存されている各生徒Ａ，Ｂ，…のニックネーム「イチロー」「ヨーコ」…と各計算データが統合され統合データとして受信されて表示出力される。
【０１５３】
これにより、各生徒Ａ，Ｂ，Ｃ，…の関数電卓１０Ａ，１０Ｂ，１０Ｃ，…により入力した計算データを、当該計算データの種類（例えば、身長・体重の比較）に応じてグループ化して統合した統合データとして管理し、これを先生、生徒の全員で閲覧して学習できるようになる。
【０１５４】
また、前記構成の計算機システムにおける通信機器（スマートフォン等）２０によれば、前記関数電卓１０Ａ，１０Ｂ，…から計算データを取得した際に、当該計算データと共に取得した電卓固有ＩＤに対応付けられたニックネームが前記ニックネーム記憶エリア２２３に登録されている場合には、当該登録済みのニックネームを付加したニックネーム入力要求ｍ２を表示させ、登録されていない場合には、空のニックネーム入力要求ｍ２を表示させ、前記取得した電卓固有ＩＤにユーザ入力した生徒のニックネームを対応付けてニックネーム記憶エリア２２３に登録する。
【０１５５】
これにより、前記関数電卓１０Ａ，１０Ｂ，…から計算データを取得した際に、その電卓固有ＩＤに対応付けられて既に登録された生徒のニックネームを、改めてユーザ入力する手間を省くことができる。
【０１５６】
また、前記構成の計算機システムにおける通信機器（スマートフォン等）２０によれば、前記関数電卓１０Ａ，１０Ｂ，…から取得された計算データを前記計算サーバ３０へ送信する際に、前記部屋ＩＤ記憶エリア２２４に登録された部屋が選択されない場合は、登録された部屋ＩＤ（グループＩＤ）を対応付けない統合不要な計算データとして前記計算サーバ３０へ送信する。
【０１５７】
これにより、前記計算サーバ３０からは前記送信した計算データが単独で計算処理されたデータとして直ちに受信され表示出力される。
【０１５８】
また、前記構成の計算機システムにおける計算サーバ３０によれば、前記通信機器２０から受信された計算データに部屋ＩＤ（グループＩＤ）が対応付けられている場合には、当該部屋ＩＤ（グループＩＤ）が対応付けられて受信された計算データを統合処理し、この統合処理したデータを前記通信機器２０へ送信して表示させることができ、前記通信機器２０から受信された計算データに部屋ＩＤ（グループＩＤ）が対応付けられていない場合には、当該計算データを単独で処理したデータを前記通信機器２０へ送信して表示させることができる。
【０１５９】
さらに、前記構成の計算機システムにおける計算サーバ３０によれば、前記通信機器２０から受信された計算データに部屋ＩＤ（グループＩＤ）とニックネームが対応付けられている場合には、当該部屋ＩＤ（グループＩＤ）が対応付けられて受信された計算データを該当するニックネームを付けて統合処理し、このニックネームを付けて統合処理したデータを前記通信機器２０へ送信して表示させることができる。
【０１６０】
なお、上記実施例では、教室で先生が各生徒の関数電卓の計算データを統合する例を示したが、同じ教室内でなくても、同じ部屋ＩＤ（グループＩＤ）が記憶されたカメラ付き通信機器２０であれば、別の教室間で計算データを統合することができる。たとえば、同じグループの各生徒が自分のカメラ付き通信機器２０にグループ学習するための同じ部屋ＩＤ（グループＩＤ）を登録しておけば、各生徒が自宅学習で自分の計算データをカメラ付き通信機器２０から計算サーバ３０へ送信して、計算データを統合させることができる。
【０１６１】
なお、前記各実施形態において記載した計算機システムによる各処理の手法、すなわち、図６のフローチャートに示す前記関数電卓（情報表示装置）１０による計算処理、図７，図８のフローチャートに示す前記カメラ付き通信機器２０による計算データ送受信処理、図９，図１０のフローチャートに示す前記計算サーバ３０によるサーバ処理などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【０１６２】
また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述した計算機能、計算データ送受信機能、サーバ機能を実現することもできる。
【０１６３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１６４】
以下に、本願出願の当初の特許請求の範囲に記載された発明を付記する。
【０１６５】
［１］
グループ識別符号を記憶しているグループ識別符号記憶手段と、
複数の計算機器から各機器識別符号と計算データとを取得する計算データ取得手段と、
前記計算データ取得手段により取得された各機器識別符号に対応付けて各名前を登録する機器名前登録手段と、
前記計算データ取得手段により取得された各機器識別符号に対応する各名前と各計算データとを、前記グループ識別符号記憶手段に記憶されたグループ識別符号に対応付けてサーバ装置へ送信する計算データ送信手段と、
を備えたことを特徴とする通信機器。
【０１６６】
［２］
前記サーバ装置から同じグループ識別符号に対応付けられた各名前と各計算データとを統合した統合データを受信する統合データ受信手段を備えたことを特徴とする［１］に記載の通信機器。
【０１６７】
［３］
前記計算データ取得手段により取得された機器識別符号が、前記機器名前登録手段により登録されている場合には、当該機器識別符号に対応付けられて前記機器名前登録手段により登録されている名前を表示する機器名前表示手段を備え、
前記機器名前登録手段は、前記計算データ取得手段により取得された機器識別符号が、前記機器名前登録手段により登録されていない場合に、当該計算データ取得手段により取得された機器識別符号に対応付けてユーザ操作に応じて入力された名前を登録する、
ことを特徴とする［１］または［２］に記載の通信機器。
【０１６８】
［４］
前記グループ識別符号記憶手段は、前記サーバ装置から他の通信機器に取得されたグループ識別符号を当該他の通信機器から取得して記憶する、
ことを特徴とする［１］ないし［３］の何れかに記載の通信機器。
【０１６９】
［５］
前記計算データ取得手段は、前記計算機器からの機器識別符号と計算データとを当該機器識別符号と計算データに対応して表示された２次元コードを撮影して取得する、
ことを特徴とする［１］ないし［４］の何れかに記載の通信機器。
【０１７０】
［６］
前記計算データ送信手段は、前記グループ識別符号記憶手段に記憶されたグループ識別符号をユーザ操作に応じて選択するグループ識別符号選択手段を有し、当該グループ識別符号選択手段によりグループ識別符号が選択された場合に、前記計算データ取得手段により取得された機器識別符号に対応する名前と計算データとを前記選択されたグループ識別符号に対応付けて前記サーバ装置へ統合対象データとして送信し、
前記グループ識別符号選択手段により前記グループ識別符号が選択されない場合には、前記計算データ取得手段により取得された計算データを前記グループ識別符号に対応付けずに前記サーバ装置へ送信する非統合対象計算データ送信手段をさらに備えた、
ことを特徴とする［２］に記載の通信機器。
【０１７１】
［７］
前記統合データ受信手段は、前記計算データ送信手段により、前記計算データ取得手段により取得された機器識別符号に対応する名前と計算データとを前記選択されたグループ識別符号に対応付けて前記サーバ装置へ統合対象データとして送信した場合に、当該サーバ装置から同じグループ識別符号に対応付けられた各名前と各計算データとを統合した画像統合データを受信し、
前記非統合対象計算データ送信手段により、前記計算データ取得手段により取得された計算データを前記グループ識別符号に対応付けずに前記サーバ装置へ送信した場合には、当該サーバ装置から当該計算データに対応した画像データを受信する非統合データ受信手段をさらに備えた、
ことを特徴とする［６］に記載の通信機器。
【０１７２】
［８］
前記サーバ装置からグループ識別符号を受信するグループ識別符号受信手段と、
前記グループ識別符号受信手段により受信されたグループ識別符号を前記グループ識別符号記憶手段に登録するグループ識別符号登録手段と、
を備えたことを特徴とする［１］ないし［７］の何れかに記載の通信機器。
【０１７３】
［９］
［１］に記載の通信機器と通信するサーバ装置であって、
前記通信機器から、前記グループ識別符号に対応付けて送信された各機器識別符号に対応する各名前と各計算データとを受信し、同じグループ識別符号に対応付けられた各名前と各計算データとを統合した統合データを生成する統合データ生成手段、
を備えたことを特徴とするサーバ装置。
【０１７４】
［１０］
前記通信機器から前記グループ識別符号に対応付けられた計算データが受信された場合に、同じグループ識別符号に対応付けられて受信された各計算データを統合した画像統合データを生成し、前記通信機器へ送信する統合データ送信手段と、
前記通信機器から前記グループ識別符号に対応付けられていない計算データが受信された場合に、当該計算データに対応した画像データを生成し、前記通信機器へ送信する非統合データ送信手段と、
を備えたことを特徴とする［９］に記載のサーバ装置。
【０１７５】
［１１］
前記統合データ送信手段は、前記通信機器から前記グループ識別符号に対応付けられた名前と計算データが受信された場合に、同じグループ識別符号に対応付けられて受信された各名前と各計算データを統合した画像統合データを生成し、前記通信機器へ送信する、
ことを特徴とする［１０］に記載のサーバ装置。
【０１７６】
［１２］
通信機器のコンピュータを制御するためのプログラムであって、
前記コンピュータを、
サーバ装置からグループ識別符号を取得するグループ識別符号取得手段と、
複数の計算機器から各機器識別符号と計算データとを取得する計算データ取得手段と、
前記計算データ取得手段により取得された各機器識別符号に対応付けてそれぞれの名前を登録する機器名前登録手段と、
前記計算データ取得手段により取得された各機器識別符号に対応する各名前と各計算データとを、前記グループ識別符号取得手段により取得されたグループ識別符号に対応付けて前記サーバ装置へ送信する計算データ送信手段と、
前記サーバ装置から同じグループ識別符号に対応付けられた各名前と各計算データとを統合した統合データを受信する統合データ受信手段、として機能させるためのコンピュータ読み込み可能なプログラム。
【０１７７】
［１３］
通信機器のコンピュータを制御するための方法であって、
サーバ装置からグループ識別符号を取得し、
複数の計算機器から各機器識別符号と計算データとを取得し、
前記取得された各機器識別符号に対応付けてそれぞれの名前を登録し、
前記取得された各機器識別符号に対応する各名前と各計算データとを、前記取得されたグループ識別符号に対応付けて前記サーバ装置へ送信し、
前記サーバ装置から同じグループ識別符号に対応付けられた各名前と各計算データとを統合した統合データを受信する、
通信機器の制御方法。
【０１７８】
［１４］
サーバ装置のコンピュータを制御するためのプログラムであって、
前記コンピュータを、
通信機器からグループ識別符号に対応付けられた計算データが受信された場合に、同じグループ識別符号に対応付けられて受信された各計算データを統合した画像統合データを生成し、前記通信機器へ送信する統合データ送信手段と、
前記通信機器から前記グループ識別符号に対応付けられていない計算データが受信された場合に、当該計算データに対応した画像データを生成し、前記通信機器へ送信する非統合データ送信手段、
として機能させるためのコンピュータ読み込み可能なプログラム。
【符号の説明】
【０１７９】
１０  …情報表示装置（関数電卓）
１１  …キー入力部
１２  …表示出力部
１３  …電卓ＣＰＵ
１４  …メモリ
１４１…数式計算処理プログラム
１４２…固有ＩＤ
１４３…入力データエリア
１５  …記録媒体読取部
１６  …無線通信部
２０  …カメラ付き通信機器（カメラ付きタブレットＰＣ等）
２１  …表示出力部
２２  …通信機器ＣＰＵ
２２１…通信機器制御プログラム
２２２…計算データ送受信処理プログラム（専用ＱＲアプリケーション）
２２３…ニックネーム記憶エリア
２２４…部屋ＩＤ記憶エリア
２５  …タッチ入力部（キー入力部）
２６  …カメラ部
２７  …通信部
３０  …計算サーバ
３１  …サーバＣＰＵ
３２１…サーバ制御プログラム
３２２…登録データメモリ
３２２Ａ，３２２Ｂ，…部屋別データエリア
３５  …サーバ通信部
Ｎ    …ネットワーク
Ｐ    …プロジェクタ
【図１】
0006750573.tif 000002
【図２】
0006750573.tif 000003
【図３】
0006750573.tif 000004
【図４】
0006750573.tif 000005
【図５】
0006750573.tif 000006
【図６】
0006750573.tif 000007
【図７】
0006750573.tif 000008
【図８】
0006750573.tif 000009
【図９】
0006750573.tif 000010
【図１０】
0006750573.tif 000011
【図１１】
0006750573.tif 000012
【図１２】
0006750573.tif 000013
【図１３】
0006750573.tif 000014
【図１４】
0006750573.tif 000015
【図１５】
0006750573.tif 000016
【図１６】
0006750573.tif 000017